(57)【要約】【課題】外洋手前の浅い沿岸で水深の深さに拘らず水底から海面下数ｍまでの全ての水深位置で海草・海藻類を育成でき、水魚の産卵、水底から中層までに浮遊する魚種の全てに魚礁となる設備としての人工浮魚礁を得ることである。【解決手段】人工浮魚礁Ａ1 は、所定幅（Ｂ）で長尺状（Ｌ）の網２に所定間隔で複数の浮体３を取付けた礁体１と、連結ロープ又はワイヤ４により連結した重り５から形成され、礁体１を設置した位置でその上端が海面から所定深さとなり海底付近から海面近くまで網２を連続状に設けることにより、水深の全深さ領域に天然海草・海藻を育成し、魚礁を形成する。【選択図】図１
0003114373.tif 000002
【実用新案登録請求の範囲】
【請求項１】
所定幅で長尺状の網に、その長手方向の所定間隔で複数の浮体を取り付けて礁体を形成し、この礁体の下方に連結ロープ又はワイヤを介して重りを連結し、上記礁体を海中に設置した位置でその上端が海面から所定深さとなる連続長さに設定した人工浮魚礁。
【請求項２】
前記礁体の網の長さを、設置する海面の最小水深状態で海面下約数ｍから海底付近まで届く連続長さに設定したことを特徴とする請求項１に記載の人工浮魚礁。
【請求項３】
前記長尺状の網を任意の位置で切断した切断部に必要長長さの所定幅で長尺状の網を接続子で接続し、礁体長さを所定深さに設定するようにしたことを特徴とする請求項１又は２に記載の人工浮魚礁。
【請求項４】
所定幅で長尺状の網にその長手方向の所定間隔で複数の浮体を取付けた半礁体を、互いに長手方向に十字状に直交するように組込んで礁体を形成し、半礁体の外端を挟んで各半礁体の網の直交状態を保持する保持リングを礁体の長手方向の適宜間隔位置に設け、この礁体の下方に連結ロープ又はワイヤを介して重りを連結し、上記礁体を海中に設置した位置でその上端が海面から数ｍ程の所定深さとなる長さに設定した人工浮魚礁。
【考案の詳細な説明】
【技術分野】
【０００１】
この考案は、沿岸での海面の深度に拘らず集魚効果が高く、天然海草・海藻類を育成し得る人工浮魚礁に関する。
【背景技術】
【０００２】
日本近海の海岸は、場所によって海底が全て岩場で複雑な凹凸形状であったり、延々と砂場が続く所等その環境条件は様々であり、海草・海藻類の育成に適さない場所等を利用して育成に適合する魚礁を形成したり、又人工海草装置を設置する等の提案が種々試みられている。特定の場所に集魚するためには、その場所に海草・海藻類を育成し、その海藻類を食べる貝類が付着し、又魚が卵を産み、幼魚が育つ、そして小魚が育つと小型魚を餌とする魚類が集魚するという食物連鎖の場が形成される。
【０００３】
上記集魚効果を増大させる試みの１つとして、特許文献１の「中層浮魚礁」が公知である。この中層浮魚礁は、礁体本体と、礁体本体の上部及び下部の少なくとも一方に浮力体を数珠状に配した補助礁体とにより構成されている。礁体本体は、複数個の枠を設けて外周に網を張って中空の柱状体として形成され、枠自体を中空密閉型とし、球状のプラスチックの浮力体を付けて必要な浮力を得るようにしている。網は合成繊維の糸やロープ等で構成され、一辺が１０ｃｍ又は２０ｃｍ以上の網目が好ましいとされている。
【０００４】
又、下部補助礁体は浮力体を数珠状に配して連結ロープで連結したものから成り、浮力体は集魚効果を高めるため球形が好ましく、その下端は係留ロープで海底のアンカに連結され係留されている。このような礁体本体と下部補助礁体の２段の礁体を連結した中層浮魚礁は、上部の礁体本体に集まって来る小魚を中層の下部補助礁体に集まる中深度魚種と大深度魚種に捕食させて生じる食物連鎖による集魚効果を得るようにしたものである。
【０００５】
一方、魚類の産卵と天然海草・海藻類の育成を行う試みの１つとして特許文献２の「人工海藻装置」が知られている。天然海草・海藻類の育成をする人工海草装置は、海底に沿って直線上に配置した棒状の保持部材に適宜の間隔で保持された人工海草により構成され、人工海草は樹脂フィルム又は葉状体を２つ折りにした中央部を保持具により保持部材に取付けられている。又、沿岸藻場の水質浄化を図る人工海藻装置として、樹脂フィルムによる葉状体とその上部に紐状体を取付けたものも開示されている。
【０００６】
しかし、特許文献１の「中層浮魚礁」は水深１０００ｍのような深い外洋に設置することを主として想定したものであり、礁体上端は水面下７０ｍあるいは１００ｍ以上と深く、１００ｍ以下の浅い海を対象とした魚礁ではない。このため、上方の魚礁本体と下部の補助礁体から魚礁を形成する際に、合計数１０ｍ程度の礁体を連結ロープを長く垂らして１０００ｍ水深下のアンカに連結したものであり、外洋での１００ｍ付近の中層魚を集魚することをねらったものである。従って、礁体本体は補助礁体とは不連続であり、かつ補助礁体は球状の浮体を数珠状に連結したに過ぎず、１００ｍ以下の浅い海ではその海底から中層に浮遊する中層浮魚礁の魚礁としては適さない。
【０００７】
特許文献２の「人工海藻装置」は、沿岸藻場に産卵する魚類や天然海草・海藻類を対象とし、その浅い沿岸の海底に沈める形式の人工海藻装置であり、柱状幹体や柱状体、板状体にそれぞれ海草や海藻類が育成されても、海底付近だけであり、水深が深くなれば海草・海藻類は生育され難くなる。従って、水深に関係してその効果は失われ、水深の浅い所から１００ｍ以下までの中程度の深さの海のどこにでも設置できる訳ではない。
【特許文献１】特開平８−２８０２９５号公報
【特許文献２】特開２００１−１４５４３３号公報
【考案の開示】
【考案が解決しようとする課題】
【０００８】
この考案は、上記の問題に留意して、外洋手前の浅い沿岸で水深の深さに拘らず水底から海面下数ｍまでの全ての水深位置で海草・海藻類を育成でき、水魚の産卵、水底から中層までに浮遊する魚種の全てに魚礁となる設備としての人工浮魚礁を提供することを課題とする。                                                                        
【課題を解決するための手段】
【０００９】
この考案は、上記の課題を解決する手段として、所定幅で長尺状の網に、その長手方向の所定間隔で複数の浮体を取り付けて礁体を形成し、この礁体の下方に連結ロープ又はワイヤを介して重りを連結し、上記礁体を海中に設置した位置でその上端が海面から所定深さとなる連続長さに設定した人工浮魚礁としたのである。
【００１０】
上記の構成としたこの考案の人工浮魚礁によれば、設置される場所の海面の水深の全深さ領域に亘って礁体の網に海草・海藻類を育成でき、このため全深さ領域を海底から中層、上層の種々の深さに生息する各種魚介類に対する浮魚礁を形成することができる。この人工浮魚礁は、１組だけでなく、一般には複数組のものを対象とする所定範囲の沿岸に沿って設置すれば、設置されたその沿岸が魚礁となって魚介類に良好な生育環境を与えることとなる。
【００１１】
人工浮魚礁として設置する場合、設置される位置の海底の地形によって海面からの水深は種々異なるから、予め設置する位置毎にその水深をソナー等の探査機により調査しておくのが好ましい。位置によって大きく海底が窪んだ場所や突上げられた形状の場所など地形は種々変化しているため、海面から所定深さの礁体の網の上端から海底付近まで連続長さの帯状の網ができるだけ魚礁として有効に活用されるように長さを設定する必要があるからである。但し、複数組の網の上端位置が海面から大略揃っていればよく、上端を正確に揃える必要はない。
【００１２】
設置する位置の水深が調査されると、その水深におよそ適合する網長さの礁体を予め用意しておき、その礁体を連結ロープで結んだ重りと共に所定位置に投下して設置する。所定の期間が経過すると深さ方向に連結する帯状の網が全深さに亘って天然海草・海藻、貝類が付着すると浮魚礁が形成されることとなる。
【００１３】
又、もう１つの解決手段として、所定幅で長尺状の網にその長手方向の所定間隔で複数の浮体を取付けた半礁体を、互いに長手方向に十字状に直交するように組込んで礁体を形成し、半礁体の外端を挟んで各半礁体の網の直交状態を保持する保持リングを礁体の長手方向の適宜間隔位置に設け、この礁体の下方に連結ロープ又はワイヤを介して重りを連結し、上記礁体を海中に設置した位置でその上端が海面から数ｍ程の所定深さとなる長さに設定した人工浮魚礁とすることもできる。
【００１４】
このような構成を採用した場合、長尺帯状の網は海面の所定深さから海底付近まで十字状の２枚網が設置されることとなるため、網の設置密度が増大し、魚礁としての効果が倍増する。
【考案の効果】
【００１５】
以上のように、この考案の人工浮魚礁は、長尺状の網に浮体を設けた礁体と連結ロープ又はワイヤで連結した重りとから成り、礁体長さを海面下所定深さから海底まで連続の長さに設定したから、海底から海面近くまで連結する礁体の網に天然海草・海藻が育成され、海底・中層・表層に生息する各種魚貝類の浮魚礁として有効に利用できるという効果を奏する。
【考案を実施するための最良の形態】
【００１６】
以下、この考案の実施の形態を図面を参照して説明する。図１は第一実施形態の人工浮魚礁Ａ1 の外観斜視図である。図示のように、人工浮魚礁Ａ1 は、所定幅（Ｂ）で長尺（Ｌ）状の網２に、その長手方向に所定間隔で複数の浮体３を設けて礁体１を形成し、その下方に連結ロープ４を介して重り５を連結したものである。網２は、耐水性、耐食性の高い、高強度の繊維、例えば炭素繊維、ナイロン、テトロンやビニロン等の樹脂繊維、麻、木綿等の天然繊維を用いて編んだ太い糸を用いて、網目の一辺が設置位置の水深によって３ｃｍ〜１０ｃｍ、あるいは１０〜２０ｃｍ程の大きさとして形成する。
【００１７】
網２の幅（Ｂ）は、例えば数１０ｃｍ〜数ｍ、長さ（Ｌ）は数ｍ〜数１０ｍ、そして１００ｍ以下の浅い沿岸に設置することを前提として、設置される場所の年間を通じて最小の水深状態の海面から約３ｍ程度下方に網２の上端が位置する長さに設定する。網２は、連続した長尺状に編んだものがよいが、後述するように何枚かをつなぎ合せて長尺状としてもよい。浮体３は比重０．５以下、好ましくは０．０１以下の軽量合成樹脂材、例えばＡＢＳ樹脂等を用いて、図示の例では棒状に形成し、これを長尺状の網の長手方向に所定間隔に設けている。所定間隔は等間隔でもよいし、不等間隔でもよい。
【００１８】
浮体３による浮力は、図示の例では、同一径の棒状のものを網２の幅と同じ長さにして網２の片面にリング又は網２と同一材質の糸によって取付けているが、例えば上方のいくつかの浮体３は直径が大きく、下方の浮体３より浮力が大きいものとしてもよい。上方の浮体３の浮力を大きくすることにより海流による網２の倒れをできるだけ小さくできる。連結ロープ４は、耐水性の合成繊維ロープを用いるが、高張力鋼のワイヤを用いてもよい。重り５は、コンクリートブロック又は鉄系金属塊を用いる。
【００１９】
なお、浮体３に対し、網２の幅中央位置に図２の一点鎖線で示す枝浮体８を連結し、浮力を増大させると共に、天然海草・海藻類の育成ができる基材として設けるとよい。枝浮体８は網幅中央でなく浮体３の両端に設けてもよいし、幅中央との３箇所に設けてもよい。又、浮体３は、図３の（ａ）図に示す中実形状の例を図１では用いているが、（ｂ）、（ｃ）図のように、中空状で両端を閉塞した形状のもの３’、３”を用いてもよい。図３の（ｄ）図は後述する第二実施形態で用いられている浮体１３を示し、この浮体１３は中実円形断面のものを２つ割りしたものである。
【００２０】
さらに、図４に示すように、網２の長さ（Ｌ）は、設置される場所の水深に対応して設定されるから、場所毎にその長さが異なるものとする必要がある。このため、図１に示すように、適宜位置で網２に切断部６を設け、設置場所に適合する長さ分の部分網２ａをリング７等の接続子で接続するとよい。切断部６を設けない場合は、予め網２の長さを例えば３０ｍ、５０ｍ、７０ｍのように適当な長さに設定されたものを複数組用意して用いるとよい。
【００２１】
上記第一実施形態の人工浮魚礁Ａ1 は、図４に示すように、海岸の所定深度の海中に複数組が適宜間隔に点在状に設置され、所定範囲の領域を人工浮魚礁域として海の環境改善に用いられる。設置間隔は、水深２０〜５０ｍ程では例えば１０ｍの格子状の交点に１つずつ、あるいは場所によってさらに密に、あるいは粗の間隔に、さらに水深が５０〜１００ｍとなれば１００ｍ間隔程度にと、その設置密度を適宜設定する。
【００２２】
人工浮魚礁として設置する場合、設置される位置の海底の地形によって海面からの水深は種々異なるから、予め設置する位置毎にその水深をソナー等の探査機により調査しておくのが好ましい。位置によって大きく海底が窪んだ場所や突上げられた形状の場所など地形は種々変化しているため、海面から所定深さの礁体１の網２の上端から海底付近まで連続長さの帯状の網２ができるだけ魚礁として有効に活用されるように長さを設定する必要があるからである。但し、複数組の網２の上端位置が海面から大略揃っていればよく、上端を正確に揃える必要はない。設置する位置の水深が調査されると、その水深におよそ適合する網長さの礁体１を予め用意しておき、その礁体１を連結ロープで結んだ重り５と共に所定位置に投下して設置する。
【００２３】
このように設置された人工浮魚礁Ａ1 は、設置した後一定の期間を経過すると、図１の（ｃ）図に示すように網２の網目ロープに天然海草や海藻が付着し、又、貝類も付着する。天然海草や海藻は、網２の設置位置が浅いため、網２の上端から所定の深さまで天然海草や海藻が付着し、このためその付近に魚が産卵し、幼魚が育成される。そして、網２の中層から海底付近の魚類は、海藻や網２の上端付近に生育された小魚を食べて食物連鎖が形成される。
【００２４】
上記人工浮魚礁Ａ1 の網２は、海流の流れを受けても、網目が大きいため、海流に対する抵抗がなく、又浮体３はその浮力によって常に上向きに持上げられ、かつ網２の下端が連結ロープ４で重り５に連結されているため、海流によって流れ難くなっており、少し流れて上端が移動してもやがて又元の垂直状に戻ろうとする。なお、図４に示すように、網２の上端に海面状に浮べたブイ９を紐９ａで連結しておけば、さらに流れ難くなる。ブイ９には目印の旗９ｂを設けておくとよい。
【００２５】
第二実施形態の人工浮魚礁Ａ2 の外観斜視図を図５に示す。この例の人工浮魚礁Ａ2 は、第一実施形態の人工浮魚礁Ａ1 の網２に対応する網１２が互いに十字状に直交する２枚の網から形成されている点が第一実施形態と異なる。但し、２枚の網と言っても、一方の網１２は所定幅（Ｂ）で縦通するものであるが、他方の網１２は、実際には所定幅（Ｂ）の半幅の２枚の網を交差位置Ｐで一方の網１２の両面に連結部材１２ａにより連結して全幅の一枚の網１２としている。
【００２６】
連結部材１２ａは、図６の（ａ）図に示すように、２枚の網１２の交差位置Ｐに沿って長さ方向に延びる断面Ｌ字状の金具（アルミ合金等の軽合金）から成り、この金具の４本で半幅の２枚の網を挟み、ボルト、ナットで締結すると共に、これら金具で一方の網１２も挟んでボルト、ナットにより締結して固定する。連結部材１２ａは、（ｂ）図に示すＣ形リングを複数個交差位置Ｐで半幅の２枚の網に嵌合して加締めて連結する連結部材１２ｂ、あるいは（ｃ）図に示すように網糸と同じ材質の紐１２ｃで交差位置Ｐを縫合する手段を用いてもよい。
【００２７】
浮体１３は、第一実施形態と同様な所定間隔で網１２の幅方向に、同幅まで延びるように複数段設けている。但し、縦通する網１２に沿った浮体１３は網１２の全幅と同じ長さとしているが、半幅の網１２のそれぞれに設けた浮体１３は交差位置Ｐで半幅長さに切断したものを半幅の網１２に取付けて、略全幅となるようにしている。又、この例では、浮体１３の丸棒は、前述したように、円形断面を半割りにしたものをその切断面が網１２の両面に対向するように取付けたものを用いている。中空半割り断面のものを用いてもよい。
【００２８】
上記人工浮魚礁Ａ2 は、十字状にクロス（交差）した２枚の長尺状の網１２、１２の交差状態を保持するため、網１２、１２の長手方向の適宜間隔位置に保持リング１８が複数個設けられている。この保持リング１８は、十字状の網１２、１２の外端４箇所で網１２、１２の外側辺の網に嵌合する嵌合部１８ａにより結合され、リングの終端は止具１８ｂにより強固に連結されている。保持リング１８は軽合金、あるいはピアノ線のような強力な針金としてもよい。
【００２９】
上記構成の第二実施形態の人工浮魚礁Ａ2 によれば、網１２、１２が２枚十字状に組み合わされているため、網の密度が第一実施形態の場合より高く、従って天然海草や海藻、貝類の付着が増大し、集魚効果が増大する。網１２、１２の長さは、第一実施形態の場合と同様に、設置位置の海底の形状による水深によって設定される。又、この場合も、網１２、１２は海面の表層から海底まで長く延びているため、網１２、１２の全長に亘って、海草、海藻が付着する。従って、第一実施形態の場合よりさらに魚礁として高い適合性を有する。符号１４、１５、１９、１９ａ、１９ｂは、それぞれ連結ロープ、重り、ブイ、紐、旗である。
【産業上の利用可能性】
【００３０】
この考案の人工浮魚礁は、浅い沿岸部の海域に設置することより魚介類の生育が難しかった沿岸でも集魚を形成するため、近海の各地に広く利用できる。
【図面の簡単な説明】
【００３１】
【図１】第一実施形態の人工浮魚礁の外観斜視図
【図２】同上の側面図
【図３】同上用の浮体の拡大斜視図（（ａ）中実、（ｂ）、（ｃ）中空、（ｄ）第二実施形態の人工浮魚礁浮体の半割形）
【図４】使用状態の説明図
【図５】第二実施形態の人工浮魚礁の外観斜視図
【図６】同上の交差位置の部分拡大斜視図（（ａ）Ｌ字状金具、（ｂ）Ｃ形リング、（ｃ）紐）
【図７】同上の保持リングの拡大斜視図
【図８】使用状況の説明書
【符号の説明】
【００３２】
１    礁体
２    網
３    浮体
４    連結ロープ（ワイヤ）
５    重り
６    切断部
７    リング
１３  浮体
【図１】
0003114373.tif 000003
【図２】
0003114373.tif 000004
【図３】
0003114373.tif 000005
【図４】
0003114373.tif 000006
【図５】
0003114373.tif 000007
【図６】
0003114373.tif 000008
【図７】
0003114373.tif 000009
【図８】
0003114373.tif 000010